(57)【要約】
【課題】  磁石を有さない磁性体製のボールマーカーを、磁石を有するクリップに吸着させる際に、当接位置が多少ずれても確実かつ強固に磁力吸着できるボールマーカー用クリップを提供する。
【解決手段】  ゴルフのボールマーカー用クリップ１は、鉄などの磁性体製で円板状のボールマーカー２を磁力により吸着する。クリップ１は、横長の楕円形を呈する鉄製の基板３を有し、基板３の裏面の左右に円形凹所３１、３１が設けられ、凹所３１、３１には円板状の磁石４、４が嵌め込まれて固着されている。基板３の側部には、クリップ１を帽子の庇に止めるためのフック３２が設けられている。基板３は、長径がボールマーカー２の直径より大きく、短径がボールマーカー２の直径より小さい楕円形となっおり、磁石４、４の中心距離はボールマーカー２の直径と略同等に設定されている。これにより、ボールマーカー２が基板３の幅方向に幾分ずれて当接しても、磁石４、４の双方またはいずれか一方により確実に吸着され、ゴルファーが走ったりした際の衝撃でボールマーカー２がクリップ１から脱落する不具合は確実に防止できる。
【選択図】図２
0003101456.tif 000002
【実用新案登録請求の範囲】
【請求項１】
帽子、ズボンなどの衣服に装着され、円板状の磁性体製ボールマーカーを磁力で着脱可能に吸着するゴルフのボールマーカー用クリップであって、非磁性体製の基板に所定の間隔で２個以上の磁石が取り付けられていることを特徴とするボールマーカー用クリップ。
【請求項２】
請求項１に記載の前記ゴルフの前記ボールマーカー用クリップにおいて、長径が前記ボールマーカーの直径より大きく、短径が前記ボールマーカーの直径より小さい基板と、該基板の長手方向に前記ボールマーカーの直径より小さい間隔で固着された２つの磁石からなることを特徴とするボールマーカー用クリップ。
【請求項３】
請求項２に記載の前記ゴルフの前記ボールマーカー用クリップにおいて、前記基板は、亜鉛、真鍮、またはアルミニウム製であることを特徴とするゴルフのボールマーカー用クリップ。
【考案の詳細な説明】
【技術分野】
【０００１】
この考案は、芝上に停止したゴルフボールの位置の目印として、ゴルフボールの代わりに芝上に載置される円板状のボールマーカーを、帽子、ズボンなどの衣服に磁力で着脱可能に保持するためのボールマーカー用クリップに関する。
【背景技術】
【０００２】
ボールマーカーとして、金属製で円板状（コイン状）のものが使用されている。このボールマーカーに磁石を埋め込み、帽子の庇、衣服の襟、ズボンのバンドなどに取り付けた鉄など磁性体製のクリップに磁力で着脱可能に保持させる考案が提案されている（たとえば特許文献１）。この磁石付きボールマーカーは、芝上に載置した際に、砂に含まれた砂鉄などのゴミが吸着し易い。鉄粉などゴミが付着した磁石付きボールマーカーは、磁性体製クリップとの吸着力が弱まり、ボールマーカーが脱落し易い問題がある。
【０００３】
このボールマーカーへのゴミの付着による脱落は、ボールマーカーを鉄などの磁性体で形成し、クリップに磁石を組み込むことで解決できる。しかしながら、クリップは通常は目で視認できない帽子、衣服などの位置に取り付けられるため、クリップに磁石を取り付けると、ボールマーカーを吸着させる際に、クリップの磁石の位置からずれた位置に当接し易い。このために、プレイヤーが走ったりすると、適正位置からずれて吸着され磁力による吸着力が弱りボールマーカーが落ちる不具合が生じる。この問題は大型の磁石を使用すれば解消できるが、大型の磁石を使用するとクリップが大型となり装着性が悪化する欠点がある。
【０００４】
【特許文献１】米国特許第６１７００８８号明細書
【考案の開示】
【考案が解決しようとする課題】
【０００５】
この考案の課題は、磁石を有さない磁性体製のボールマーカーを、磁石を有するクリップに吸着させる際に、小型で装着性に優れるとともに、当接位置が多少ずれても確実かつ強固に磁力吸着できるボールマーカー用クリップを提供することにある。
【課題を解決するための手段】
【０００６】
請求項１の考案では、帽子、ズボンなどの衣服に装着され、円板状の磁性体製ボールマーカーを磁力で着脱可能に吸着するゴルフのボールマーカー用クリップであって、非磁性体製の基板に所定の間隔で２個以上の磁石が取り付けられている。この構成では、小型の磁石の使用が可能で装着性に優れるとともに、帽子の庇、衣服の襟、ズボンのバンドなどの一々目で視認できにくい位置に取り付けたクリップに、多少ずれた位置にボールマーカーを当接しても、複数の磁石またはいずれか１つ確実かつ強固に吸着できる。このため、プレイヤーが走るなどして振動が加わっても、ボールマーカーがクリップから脱落する不具合が確実に防止できる。
【０００７】
請求項２の考案では、クリップは、長径が前記ボールマーカーの直径より大きく、短径が前記ボールマーカーの直径より小さい基板と、該基板の長手方向に前記ボールマーカーの直径より小さい間隔で固着された２つの磁石からなることを特徴とする。この構成では、小型で着脱性に優れたボールマーカー用クリップが形成できる。
請求項３の考案では、基板を、亜鉛、真鍮、またはアルミニウムで形成している。このため、鉄製の場合に比較して錆びにくく長期間に渡って美しい外観が保てる。
【実施例】
【０００８】
図１、図２は、この考案のゴルフのボールマーカー用クリップ１を示し、鉄などの磁性体製で円板状のボールマーカー２を磁力により着脱可能に吸着する。この実施例のクリップ１は、横長の楕円形を呈する亜鉛製の基板３を有する。基板３の表面３Ａは装飾メッキが施されるとともに、所望の図柄が描かれている。図２に示す如く、基板３の裏面３Ｂには、左右に円形凹所３１、３１が設けられ、凹所３１、３１には円板状の磁石４、４が嵌め込まれて固着されている。基板３の側部には、クリップ１を帽子の庇に止めるためのフック３２が設けられている。
【０００９】
基板３は、長径がボールマーカー２の直径より大きく、短径がボールマーカー２の直径より小さい楕円形となっており、磁石４、４の中心距離はボールマーカー２の直径と略同等に設定されている。これにより、ボールマーカー２が基板３の幅方向に幾分ずれて当接しても、磁石４、４の双方またはいずれか一方により確実に吸着され、ゴルファーが走ったりした際の衝撃でボールマーカー２がクリップ１から脱落する不具合は確実に防止できる。
【００１０】
ボールマーカー用クリップ１は、図３に示す如く、ゴルファーの帽子５の庇５１の縁に基板３が上面となるようにフック３２で取り付けて使用される。ゴルファーは、プレイ中はボールマーカー２を基板３の表面３Ａに磁力で吸着させておく。ゴルフ場のグリーン上で停止したゴルフボールの代わりにボールマーカー２を使用する際には、ボールマーカー２を手でクリップ１から外して、芝の上に設置する。プレイするときは、ボールマーカー２を芝から拾い上げ、クリップ１に当接すると、２つの磁石４、４の双方またはいずれか一方で吸着される。この考案ではボールマーカー２に磁石が組み込まれていないため、芝の砂に混ざる砂鉄などのゴミがボールマーカー２に吸着または付着することが防止でき、吸着力が低減する不具合を防止できる。
【００１１】
この実施例では、基板３は、長径がボールマーカー２の直径より大きく、短径がボールマーカー２の直径より小さい楕円形となっている。このため、ボールマーカー２をクリップ１から外す際には、基板３から食みだしているボールマーカー２の縁を親指および人指し指で挟んで容易に外すことができる。また、ボールマーカー２をクリップ１に吸着させる場合には、２つの磁石４、４の中心距離はボールマーカー２の直径と略同等に設定されているため吸着可能な幅が大きく、簡単かつ確実にボールマーカー２をクリップ１に吸着させることが可能である。この結果、小型な大きさの基板で着脱の容易なボールマーカー２が実現できる。
【００１２】
［他の実施例］
基板３は、長円形、矩形、その他の多角形であってもよく、磁石４の数は３個以上であってもよい。基板３の材質は、亜鉛以外の磁性体製であってもよいが、軽量化および防錆の観点から亜鉛またはアルミニウム製が有利であり、またこれらの材料は長期間にわたって美観が損なわれない利点がある。なお、基板３を真鍮で形成することも可能であるが、重量および防錆の観点から不利である。ボールマーカー用クリップ１は、帽子の庇以外に帽子の縁、衣服の襟、ズボンのバンドなどに取り付けるものであってもよいことは当然である。
【図面の簡単な説明】
【００１３】
【図１】ボールマーカー用クリップの斜視図（実施例）。
【図２】ボールマーカー用クリップの斜視図（実施例）。
【図３】ボールマーカー用クリップの使用状態図である（実施例）。
【符号の説明】
【００１４】
１    ボールマーカー用クリップ
２    ボールマーカー
３    基板
４    磁石
５    帽子
【図１】
0003101456.tif 000003
【図２】
0003101456.tif 000004
【図３】
0003101456.tif 000005